(57)【要約】【課題】  この考案は、何時までも奇麗な墓石を維持し、且つ、周辺も汚す事の無い墓石保護カバーを提供しようとするものである。【解決手段】  その手段として、墓石の周囲と上部を包囲し、地面に固定して使用する保護カバーにおいて、縦・横・高さが所定寸法を有し、周囲全面が上下二つに仕切られた壁面であって、該壁面下部の一に透明アクリル板等の保護板を螺着した扉を有し、他の壁面下部には透明アクリル板等の保護板を螺着し、且つ、全周囲壁面の上部に開放部を設け、且つ、上面に屋根を設け、且つ、底面周囲をアンカーボルト等の固定手段で固定可能にした事を特徴とする墓石保護カバーより構成されるものである。【選択図】  図１
0003112213.tif 000002
【実用新案登録請求の範囲】
【請求項１】
墓石（Ｔ）の周囲と上部を包囲し、地面に固定して使用する保護カバーにおいて、縦（Ｘ）・横（Ｙ）・高さ（Ｈ）が所定寸法を有し、周囲全面が上下二つに仕切られた壁面であって、該壁面下部の一に透明アクリル板等の保護板（１ａ）を螺着した扉（１）を有し、他の壁面（２）下部には透明アクリル板等の保護板（２ａ）を螺着し、且つ、全周囲壁面の上部に開放部（３）を設け、且つ、上面に屋根（４）を設け、且つ、底面周囲をアンカーボルト等の固定手段（Ａ）で固定可能にした事を特徴とする墓石保護カバー。
【請求項２】
全周囲壁面の上下部を開放し、且つ、上面に屋根を設けた事を特徴とする請求項１に記載の墓石保護カバー。
【考案の詳細な説明】
【技術分野】
【０００１】
この考案は、墓石保護カバーに関するものである。
【背景技術】
【０００２】
従来、墓参りは年に一度乃至二度程度のもので、墓参りをした時にお墓の掃除をするのが一般的で、わざわざ墓掃除の為に足を運ぶ事はほとんどしない。
【０００３】
従って、墓石も長年に渡って雨曝しにされると汚れが酷くなり変色し、年に一度や二度の掃除では汚れが落ちなくなる。
【０００４】
又、お墓参りの際、先祖にお供え物やお花を供養したり、御香をたいたりするが、そのまま放置状態にする為、雨や風に晒されて墓石や周辺を汚してしまう事が多く、環境衛生的に見て極めて深刻な問題である。
【０００５】
また、墓用の蝋燭立て台を覆うものは存在する。例えば、特許文献１のように。
しかし、この考案は、墓の部分の一部を覆うものにすぎず、先祖より末代に渡って代々守ってきた墓石を風雨より大切に護る必要がある。
【特許文献１】実開平７−２５１６２号公報
【考案の開示】
【考案が解決しようとする課題】
【０００６】
そこでこの考案は、上記の問題点を解決し、何時までも奇麗な墓石を維持し、且つ、周辺も汚す事の無い墓石保護カバーを提供しようとするものである。
【課題を解決するための手段】
【０００７】
その手段として、墓石の前面に扉を有し、他の周囲壁面を透明なアクリル板等の保護カバーで囲い、且つ、全周囲壁面の上部を開放し、上面に屋根を設け、且つ、底面周囲をアンカーボルト等の固定手段で固定可能にしたことを特徴とする墓石保護カバーより構成されるものである。
【考案の効果】
【０００８】
この考案は、以上の構成よりなるものであり、この発明によれば墓石（Ｔ）に墓石保護カバーを設ける事で、雨や風に晒されることがなくなり、墓石が汚れたり変色する心配が解消される。
【０００９】
又、保護カバー全周面に透明アクリル板を螺着する事で、墓石の細部が監視出来、万が一損傷しても簡単に交換出来る。
【００１０】
又、墓参りの際、お花や果物等のお供え物をしたり、線香をたいたりしてそのまま放置していても、雨や風に晒されずにすみ、線香をたいても通風性を良くしている為、墓石（Ｔ）やカバー内が汚れないだけでなく周囲の環境美化にも極めて有益なる効果を奏するものである。
【００１１】
更に、この墓石保護カバーは全周囲を囲む前面扉や他の三面に取り付ける透明アクリル板は、ビス止め方式に成っている為、これらを全て除去し、屋根部のみ取り付けた状態で使用する事で、コスト低減を図ることも出来る。
【考案を実施するための最良の形態】
【００１２】
この考案の一実施例を図１〜図４に従って詳述すると、縦（Ｘ）・横（Ｙ）・高さ（Ｈ）が所定寸法を有し、周囲全面が上下二つに仕切られた壁面であって、該壁面下部の一に透明アクリル板等の保護板（１ａ）を螺着した扉（１）を有し、他の壁面（２）下部には透明アクリル板等の保護板（２ａ）を螺着し、且つ、全周囲壁面の上部に開放部（３）を設け、且つ、上面に屋根（４）を設け、且つ、底面周囲をアンカーボルト等の固定手段（Ａ）で固定可能にした事を特徴とする墓石保護カバーから構成されている。
【００１３】
次に、墓石（Ｔ）の保護カバーの構造について説明すると、四角にステンレス製Ｌ型鋼等の柱部材（５）を上下垂直に立て、その上下方向ほぼ中央部と下面部に四角を連結するＬ型鋼等の連結部材（６）を四面に設け、且つ、上面にステンレス鋼で形成した富士山状の屋根（４）を設ける。
【００１４】
そして、まず四周の前面下部に左右両開きの扉（１）を設け、該両開き扉は左右上下４箇所に蝶番等の係止部材（ｈ）を設け、且つ、左右中央部には開閉用ノブ（１ｃ）を設け、且つ、該両開き扉（１）はＬ型鋼で形成された矩形の枠部材（１ｂ）に透明アクリル板（１ａ）をビス等の係止部材（Ｓ）で螺着して形成されている。
【００１５】
又、他の三面（左側面・右側面・背面）の壁面下部には、上記同様透明アクリル板（２ａ）をビス等の係止部材（Ｓ）で螺着し、上部は通風性を良くする為に、全面（前面・左側面・右側面・背面）に開放部（３）を設けている。
【００１６】
又、保護カバーの連結部材（６）底面四箇所には、アンカーボルト等の係止部材（Ａ）で固定出来る様、ボルト穴（ｄ）が設けられている。
【００１７】
次に、この発明の墓石保護カバーの取り付け要領について説明すると、図５・図６に示す様に、左右方向は墓石（Ｔ）の中心に対して、左右対称に成る様に取り付け位置を調整し、前後方向は墓石（Ｔ）の裏面ぎりぎりまでカバーを接近させ、位置が定まったらコンクリート（Ｃ）床面にマーキングを施し、一旦カバーを取り除いた後に、アンカーボルト等の係止部材（Ａ）を埋設し、コンクリート（Ｃ）が固まった時点で最後に墓石カバーを取り付けてボルトで固定する。
【００１８】
又、この墓石保護カバーは全周囲を囲む前面扉や他の三面に取り付ける透明アクリル板は、ビス止め方式に成っている為、これらを全て除去し、屋根部のみ取り付けた状態で使用する事も可能である。
【図面の簡単な説明】
【００１９】
【図１】この考案の一実施例を示し、正面図である。
【図２】この考案の一実施例を示し、右側面図である。
【図３】この考案の一実施例を示し、背面図である。
【図４】この考案の一実施例を示し、（Ａ）は平面図で、（Ｂ）は図３のａ−ａ矢視図である。
【図５】この考案の使用状態図で、正面図である。
【図６】この考案の使用状態図で、右側面図である。
【図７】この考案の使用状態図で、前面扉と透明アクリル板を取り外した時の正面図である。
【符号の説明】
【００２０】
１  扉
１ａ  透明アクリル板等の保護板
１ｂ  枠部材
１ｃ  扉開閉用ノブ
２  壁面
２ａ  透明アクリル板等の保護板
３  開放部
４  屋根
５  柱部材
６  連結部材
Ｘ  墓石保護カバーの縦寸法
Ｙ  墓石保護カバーの横寸法
Ｈ  墓石保護カバーの高さ寸法
Ｓ  ビス等の係止部材
Ａ  アンカーボルト等の係止部材
ｈ  蝶番等の係止部材
ｄ  ボルト穴
Ｃ  コンクリート
Ｔ  墓石
【図１】
0003112213.tif 000003
【図２】
0003112213.tif 000004
【図３】
0003112213.tif 000005
【図４】
0003112213.tif 000006
【図５】
0003112213.tif 000007
【図６】
0003112213.tif 000008
【図７】
0003112213.tif 000009